【手続補正書】
【提出日】平成20年4月17日(2008.4.17)
【手続補正１】
【補正対象書類名】特許請求の範囲
【補正対象項目名】全文
【補正方法】変更
【補正の内容】
【特許請求の範囲】
【請求項１】
前腹部と後背部との間の股部に、別体の股用吸収体を交換可能に保持する保持部材が配置されて、
前腹部を股部とほぼ同幅にするとともに、後背部の両側を広幅にして両側部とし、
この広幅の両側部を前腹部に廻し込んで、両側部の側縁と前腹部の側縁とが接合され、股部の両側に脚穴部が形成されるとともに、上記前腹部と後背部とに跨る左右の腰脇部分以外の部分で前腹部と後背部とが接合されてなり、
上記腰脇部分に、腰脇用吸収体がそれぞれ固定配置されていることを特徴とする使い捨ておむつカバー。
【請求項２】
上記保持部材は、股部の左右位置に設けられた立ち上がりフラップである請求項１に記載の使い捨ておむつカバー。
【請求項３】
上記前腹部と後背部の上側にウエスト用弾性糸が添設され、その下側にボディフィット用弾性糸が添設され、上記脚穴部にレッグ用弾性糸が添設されている請求項１または２に記載の使い捨ておむつカバー。
【請求項４】
上記腰脇用吸収体が固定配置された部位のボディフィット用弾性糸の収縮力が小さく設定されている請求項３に記載の使い捨ておむつカバー。
【請求項５】
上記立ち上がりフラップは、脚穴部に沿う円弧状に形成されている請求項２〜４のいずれか１項に記載の使い捨ておむつカバー。
【請求項６】
上記股部に前後方向の股用弾性糸が添設されている請求項１〜５のいずれか１項に記載の使い捨ておむつカバー。
【請求項７】
上記脚穴部は、前後方向の略楕円形状抜き穴に形成され、この脚穴部の周囲にほぼ沿って上記レッグ用弾性糸が添設されている請求項１〜６のいずれか１項に記載の使い捨ておむつカバー。
【請求項８】
上記股部と前腹部と後背部とは、外面側シートと肌面側シートとを接着して構成され、上記腰脇用吸収体は、外面側シートと肌面側シートとの間に挟着固定されている請求項１〜７のいずれか１項に記載の使い捨ておむつカバー。
【請求項９】
上記股部と前腹部と後背部とは、外面側シートと肌面側シートとを接着して構成され、上記腰脇用吸収体は、肌面側シートの上に接着固定されている請求項１〜７のいずれか１項に記載の使い捨ておむつカバー。
【手続補正２】
【補正対象書類名】明細書
【補正対象項目名】００１３
【補正方法】変更
【補正の内容】
【００１３】
上記課題を解決するために、本発明は、前腹部と後背部との間の股部に、別体の股用吸収体を交換可能に保持する保持部材が配置されて、前腹部を股部とほぼ同幅にするとともに、後背部の両側を広幅にして両側部とし、この広幅の両側部を前腹部に廻し込んで、両側部の側縁と前腹部の側縁とが接合され、股部の両側に脚穴部が形成されるとともに、上記前腹部と後背部とに跨る左右の腰脇部分以外の部分で前腹部と後背部とが接合されてなり、上記腰脇部分に、腰脇用吸収体がそれぞれ固定配置されていることを特徴とする使い捨ておむつカバーを提供するものである。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
上記保持部材は、股部の左右位置に設けられた立ち上がりフラップである構成が好ましい。
【手続補正５】
【補正対象書類名】明細書
【補正対象項目名】００１６
【補正方法】変更
【補正の内容】
【００１６】
上記前腹部と後背部の上側にウエスト用弾性糸が添設され、その下側にボディフィット用弾性糸が添設され、上記脚穴部にレッグ用弾性糸が添設されている構成が好ましい。
【手続補正６】
【補正対象書類名】明細書
【補正対象項目名】００１７
【補正方法】変更
【補正の内容】
【００１７】
上記腰脇用吸収体が固定配置された部位のボディフィット用弾性糸の収縮力が小さく設定されている構成が好ましい。
【手続補正７】
【補正対象書類名】明細書
【補正対象項目名】００１８
【補正方法】変更
【補正の内容】
【００１８】
上記腰脇用吸収体の前後部は、左右の脚穴部に沿うよう略Ｃ字形状に形成されている構成が好ましい。
【手続補正８】
【補正対象書類名】明細書
【補正対象項目名】００１９
【補正方法】変更
【補正の内容】
【００１９】
上記立ち上がりフラップは、脚穴部に沿う円弧状に形成されている構成とすることができる。
【手続補正９】
【補正対象書類名】明細書
【補正対象項目名】００２０
【補正方法】変更
【補正の内容】
【００２０】
上記立ち上がりフラップは、左右の前腹部の前端と後背部の後端に亘っている構成とすることができる。
【手続補正１０】
【補正対象書類名】明細書
【補正対象項目名】００２１
【補正方法】変更
【補正の内容】
【００２１】
上記股部に前後方向の股用弾性糸が添設されている構成とすることができる。
【手続補正１１】
【補正対象書類名】明細書
【補正対象項目名】００２２
【補正方法】変更
【補正の内容】
【００２２】
上記股用弾性糸の前後端は、前腹部の前端と後背部の後端に亘って添設されている構成とすることができる。
【手続補正１２】
【補正対象書類名】明細書
【補正対象項目名】００２３
【補正方法】変更
【補正の内容】
【００２３】
上記脚穴部は、前後方向の略楕円形状抜き穴に形成され、この脚穴部の周囲にほぼ沿って上記レッグ用弾性糸が添設されている構成とすることができる。
【手続補正１３】
【補正対象書類名】明細書
【補正対象項目名】００２４
【補正方法】変更
【補正の内容】
【００２４】
上記脚穴部は、前後方向のスリットに形成され、このスリットの左右にほぼ沿って、前腹部の前端と後背部の後端に亘って上記レッグ用弾性糸が添設されている構成とすることができる。
【手続補正１４】
【補正対象書類名】明細書
【補正対象項目名】００２５
【補正方法】変更
【補正の内容】
【００２５】
上記股部と前腹部と後背部とは、外面側シートと肌面側シートとを接着して構成され、上記腰脇用吸収体は、外面側シートと肌面側シートとの間に挟着固定されている構成とすることができる。
【手続補正１５】
【補正対象書類名】明細書
【補正対象項目名】００２６
【補正方法】変更
【補正の内容】
【００２６】
上記股部と前腹部と後背部とは、外面側シートと肌面側シートとを接着して構成され、上記腰脇用吸収体は、肌面側シートの上に接着固定されている構成とすることができる。
【手続補正１６】
【補正対象書類名】明細書
【補正対象項目名】００２７
【補正方法】変更
【補正の内容】
【００２７】
本発明は、前腹部と後背部とに跨る左右の腰脇部分以外の部分で前腹部と後背部とを接合するタイプのおむつカバーに適用するものである。例えば、前腹部を股部とほぼ同幅にするとともに、後背部の両側を広幅にして、この広幅の両側部を前腹部側に廻し込んで接合することにより、前腹部と後背部とに跨る左右の腰脇部分に接合部分を無くすることができる。
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】変更
【補正の内容】
【００３３】
股部の左右位置に設けられた立ち上がりフラップで保持部材を構成すると、股用吸収体を保持するための立ち上がりフラップを、使い捨ておむつカバーやパンツ用として備えられている既存の装置を用いてコスト安に設けることができるとともに、別体の股用吸収体の交換が簡単かつ迅速に行えるようになる。
【手続補正１９】
【補正対象書類名】明細書
【補正対象項目名】００３４
【補正方法】変更
【補正の内容】
【００３４】
ウエスト用弾性糸とボディフィット用弾性糸とレッグ用弾性糸を添設すると、使い捨ておむつカバー全体が着用者の身体にフィットして、着用時の快適性がより向上するようになる。
【手続補正２０】
【補正対象書類名】明細書
【補正対象項目名】００３５
【補正方法】変更
【補正の内容】
【００３５】
腰脇用吸収体を配置した部位のボディフィット用弾性糸の収縮力を小さく設定すると、ボディフィット用弾性糸の収縮に伴う腰脇用吸収体の撚れを防止できるから、着用者の腰脇に対する腰脇用吸収体の密着性が向上して、腰脇部分からの横漏れをより確実に防止できるようになる。
【手続補正２１】
【補正対象書類名】明細書
【補正対象項目名】００３６
【補正方法】変更
【補正の内容】
【００３６】
腰脇用吸収体の前後部を左右の脚穴部に沿うよう略Ｃ字形状に形成すると、脚穴部周りからの横漏れをより確実に防止できるようになる。
【手続補正２２】
【補正対象書類名】明細書
【補正対象項目名】００３７
【補正方法】変更
【補正の内容】
【００３７】
立ち上がりフラップを脚穴部に沿う円弧状に形成すると、レッグ用弾性糸の収縮力によってフラップ全体が均等に立ち上がりやすくなるから、立ち上がりフラップが着用者の脚回りに密着しやすくなって、脚穴部周りからの横漏れをより確実に防止できるようになる。また、左右の立ち上がりフラップの間が広くなるから、別体の股用吸収体の交換がより簡単かつ迅速に行えるようになる。
【手続補正２３】
【補正対象書類名】明細書
【補正対象項目名】００３８
【補正方法】変更
【補正の内容】
【００３８】
立ち上がりフラップが左右の前腹部の前端と後背部の後端に亘っていると、立ち上がりフラップを断続的に設けるよりも製造が容易になる。
【手続補正２４】
【補正対象書類名】明細書
【補正対象項目名】００３９
【補正方法】変更
【補正の内容】
【００３９】
股部に前後方向の股用弾性糸を添設すると、股用弾性糸が別体の股用吸収体を持ち上げて着用者の股部に密着させるようになるから、排泄物が吸収されやすくなって、股漏れを確実に防止できるようになる。
【手続補正２５】
【補正対象書類名】明細書
【補正対象項目名】００４０
【補正方法】変更
【補正の内容】
【００４０】
股用弾性糸の前後端を前腹部の前端と後背部の後端に亘って添設すると、股用弾性糸の前後端が別体の股用吸収体の前後部を着用者の前腹部と後背部に押し付けて密着させるようになるから、股用吸収体の前後部からの漏れを確実に防止できるようになる。
【手続補正２６】
【補正対象書類名】明細書
【補正対象項目名】００４１
【補正方法】変更
【補正の内容】
【００４１】
脚穴部を前後方向の楕円形状抜き穴に形成して、この脚穴部の周囲にほぼ沿ってレッグ用弾性糸を添設すると、脚穴が大きいので着用者の脚の出し入れがスムーズになるとともに、レッグ用弾性糸の収縮力によって、脚穴部周りからの横漏れをより確実に防止できるようになる。
【手続補正２７】
【補正対象書類名】明細書
【補正対象項目名】００４２
【補正方法】変更
【補正の内容】
【００４２】
脚穴部を前後方向のスリットに形成し、このスリットの左右にほぼ沿って、前腹部の前端と後背部の後端に亘ってレッグ用弾性糸を添設すると、脚穴部のくり抜きが不要でコスト安になるとともに、レッグ用弾性糸の収縮力によって、脚穴部周りからの横漏れをより確実に防止できるようになる。また、レッグ用弾性糸は、前腹部と後背部のボディフィット用弾性糸の下側と、保持部材（立ち上がりフラップ）で保持された股用吸収体の前後端部との間の部分にも位置するようになるので、この部分のレッグ用弾性糸の収縮力によって、股用吸収体の前後端部からの漏れをより確実に防止できるようになる。さらに、レッグ用弾性糸は、前腹部の前端と後背部の後端に亘って連続的に添設されているので、レッグ用弾性糸の添設が容易になる。
【手続補正２８】
【補正対象書類名】明細書
【補正対象項目名】００４３
【補正方法】変更
【補正の内容】
【００４３】
外面側シートと肌面側シートとを接着して股部と前腹部と後背部とを構成して、腰脇用吸収体を外面側シートと肌面側シートとの間に挟着固定すると、腰脇用吸収体を製造段階で正規の位置に固定することができる。
【手続補正２９】
【補正対象書類名】明細書
【補正対象項目名】００４４
【補正方法】変更
【補正の内容】
【００４４】
外面側シートと肌面側シートとを接着して股部と前腹部と後背部とを構成して、腰脇用吸収体を肌面側シートの上に接着固定すると、腰脇用吸収体を製造段階で正規の位置に固定できるとともに、必要に応じて後付けも可能になる。なお、交換可能に固定することも可能である。